(57)【要約】      （修正有）【課題】反転可能な滑り止め装置を有する履き物用靴底、及び、そのような靴底を備えた履き物、に関するものである。【解決手段】滑り止め装置（１２）は、咬合機構（１８）と、少なくとも１つの支持要素（１６）と、を備えており、咬合機構（１８）は、凹凸面に取り付けられており且つ揺動軸（Ｘ−Ｘ）に対して凹凸面から離れるように揺動可能であり、支持要素（１６）は、滑り止め面（１６ａ）を有しており、上記凹凸面に設けられた関連する収容部分（２２）内に収容されており、揺動軸（Ｘ−Ｘ）とは異なる回転軸（Ｙ−Ｙ）回りに回転するように咬合機構（１８）に取り付けられており、且つ、滑り止め面（１６ａ）を、活動状態では地面の方向に、又は、非活動状態では凹凸面の方向に、選択的に向けるようになっている。【選択図】図３
2010094511.tif 000002
【特許請求の範囲】
【請求項１】
履き物用靴底（１０）であって、
上記靴底（１０）の凹凸面（１１）上に、靴底（１０）に作動可能に面するように設けられた、少なくとも１つの反転可能な滑り止め装置（１２、１４）を、備えており、
上記滑り止め装置（１２、１４）は、咬合機構（１８）と、少なくとも１つの支持要素（１６）と、を備えており、
咬合機構（１８）は、凹凸面（１１）に取り付けられており、且つ、揺動軸（Ｘ−Ｘ）に対して上記凹凸面（１１）から離れるように揺動可能であり、
支持要素（１６）は、滑り止め面（１６ａ）を有しており、上記凹凸面（１１）に設けられた関連する収容部分（２２）内に収容可能であり、揺動軸（Ｘ−Ｘ）とは異なる回転軸（Ｙ−Ｙ）回りに回転するように咬合機構（１８）に取り付けられており、且つ、滑り止め面（１６ａ）を、選択的に、活動状態では地面の方向に、又は、非活動状態では凹凸面（１１）の方向に、向けるようになっており、
支持要素（１６）の回転軸（Ｙ−Ｙ）回りの回転が、咬合機構（１８）の揺動軸（Ｘ−Ｘ）に対する回転を制御しており、
支持要素（１６）が収容部分（２２）内に収容されているとき、揺動軸（Ｘ−Ｘ）が、支持要素（１６）と履き物の先端部（１０ａ）との間に位置している、
ことを特徴とする、履き物用靴底。
【請求項２】
揺動軸（Ｘ−Ｘ）に対する滑り止め装置（１２、１４）の揺動に対抗するように機能する、戻し手段（２６）を、更に備えている、
請求項１に記載の靴底。
【請求項３】
滑り止め装置（１２、１４）が、少なくとも部分的に強磁性体材料でできており、
戻し手段が、凹凸面（１１）に適用され、且つ、滑り止め装置（１２、１４）に対して引付力を行使するのに適した、磁石（２６）を、備えている、
請求項２に記載の靴底。
【請求項４】
支持要素（１６）が、少なくとも部分的に強磁性体材料でできており、
磁石（２６）が、支持要素（１６）を、収容部分（２２）内に引き留めるように機能する、
請求項３に記載の靴底。
【請求項５】
戻し手段（２６）が、支持要素（１６）を靴底の方向へ永久的に付勢する力、又は、支持要素を靴底に近接して維持する力を、そこで行使するために、咬合機構（１８）と連動する、少なくとも１つの弾性手段を、備えている、
請求項２〜４の内のいずれか１つに記載の靴底。
【請求項６】
支持要素（１６）が、少なくとも１つの対抗部分（２１ａ、２１ｂ）を有しており、
上記対抗部分は、回転軸（Ｙ−Ｙ）に対して横方向に外向きであり、且つ、支持要素（１６）が回転軸（Ｙ−Ｙ）回りに回転する間に、咬合機構（１８）の揺動を起こすように、凹凸面（１１）に設けられた当接部分（２８）を、押して、当接部分（２８）に対してスライドするようになっている、
上記請求項の内のいずれか１つに記載の靴底。
【請求項７】
上記対抗部分が、回転軸（Ｙ−Ｙ）に対して横方向に突出している、突起（２１ａ、２１ｂ）を、備えており、
当接部分が、支持要素（１６）が回転する間に、上記突起（２１ａ、２１ｂ）がその上でスライドするのを可能にする、トラック（２８）を、備えている、
請求項６に記載の靴底。
【請求項８】
対抗部分（２１ａ、２１ｂ）が、強磁性体材料でできており、
戻し手段が、当接部分（２８）の下方に配置された、磁石（２６）を、備えている、
請求項６又は７に記載の靴底。
【請求項９】
支持要素（１６）が、回転軸（Ｙ−Ｙ）に対して第１対抗部分（２１ａ）と対称である、第２対抗部分（２１ｂ）を、備えている、
請求項６〜８の内のいずれか１つに記載の靴底。
【請求項１０】
回転軸（Ｙ−Ｙ）が、揺動軸（Ｘ−Ｘ）と実質的に平行である、
上記請求項の内のいずれか１つに記載の靴底。
【請求項１１】
靴底（１０）の前方部分の、中足骨ゾーンに、配置されている、少なくとも１つの滑り止め装置（１２）を、備えている、
上記請求項の内のいずれか１つに記載の靴底。
【請求項１２】
上記請求項の内のいずれか１つに記載の靴底（１０）を備えている、
ことを特徴とする、履き物。
【発明の詳細な説明】
【技術分野】
【０００１】
本発明は、反転可能な滑り止め装置を有する履き物用靴底、及び、そのような靴底を備えた履き物、に関するものである。
【背景技術】
【０００２】
より詳細には、本発明は、添付の請求項１の序文に記載の、履き物用靴底、に関するものである。このタイプの履き物用靴底の一例は、欧州特許第１５５８１０３号明細書に開示されており、いくつかの不利点が明らかになっている。１つの不利点は、滑り止め装置を活動化及び非活動化するのに、種々の手動の開閉動作を、使用者が行わなくてはならないことである。最初に、開動作を実行し、横方向の揺動軸に対して、凹凸面から離れるように、咬合構造を回転させる必要がある。次に、咬合機構を凹凸面から離れた位置に維持し、支持要素を回転軸回りに回転させる必要がある。最後に、咬合機構を、初期位置に戻し、再度、凹凸面に近づけ且つ連結させる必要がある。
【先行技術文献】
【特許文献】
【０００３】
【特許文献１】欧州特許第１５５８１０３号明細書
【発明の概要】
【発明が解決しようとする課題】
【０００４】
この不利点は、このような手動動作が、冬用手袋を装着した使用者によって概ね実行されるものであり、効率的に装置を作動するための使用者の行動の自由を制限する要因になる、という事実が原因で、特に生じる。
【課題を解決するための手段】
【０００５】
本発明の目的は、従来技術におけるこのような不利点及び他の不利点を克服することができ、同時に、簡潔且つ安価な方法で製造することがでる、履き物用靴底を、提供することである。
【０００６】
この目的及び他の目的は、本発明では、上記に記載されたタイプであり且つ添付の請求項１において特徴部分として定義された、履き物用靴底、によって達成される。本発明は、また、添付の請求項１２に定義された履き物に関するものである。
【図面の簡単な説明】
【０００７】
【図１】本発明の図示された実施形態における靴底の底面図である。
【図２】第１作動状態を示した、図１の靴底の一部分の拡大図である。
【図３】第２作動状態を示した、図２と同様の拡大図である。
【図４】第３作動状態を示した、図２及び図３と同様の拡大図である。
【図５】第４作動状態を示した、図２〜図４と同様の拡大図である。
【図６】図１〜図５に図示された靴底の、代替可能な実施形態を示す図である。
【図７】本発明の更なる実施形態の靴底の一部の拡大斜視図である。
【発明を実施するための形態】
【０００８】
本発明の更なる特徴及び利点は、添付の図面を参照に、目的を実施し且つ目的を限定しないために厳密に提供された、以下の詳細な記載によって、明らかである。
【０００９】
図１を特に参照すると、本発明による履き物用靴底の一実施形態が、参照符号１０で示されている。
【００１０】
靴底１０は、地面に作動可能に面しており且つ第１滑り止め装置１２を備えた、凹凸面１１を、有している。好ましくは、凹凸面１１は、第２滑り止め装置１４を、更に備えている。有利には、第１滑り止め装置１２は、靴底１０の前方部分に、より詳細には中足骨ゾーンに、配置されており、そこは、人の体重の殆どが集中する場所である。第２滑り止め装置１４は、ヒール部１０ｂに近接した、靴底１０の後方部分に、配置されている。
【００１１】
滑り止め装置１２、１４は、構造的には、実質的に同一のものである。幾つかの厳密な寸法偏差は、基本的には、そのような装置を靴底１０の異なる部分に適用するのに必要とされる調整に、依るものである。従って、以下の本明細書においては、第１滑り止め装置１２のみについて記載しているが、後方の滑り止め装置１４においても、同様の技術的特徴が同一の方法で実現すると考えられる。
【００１２】
特に図２〜５を参照すると、滑り止め装置１２は、支持要素と、咬合機構とを、備えている。好ましくは、支持要素は、プレート１６を備えている。更に好ましくは、咬合機構は、一対の湾曲ロッド１８を備えている。
【００１３】
プレート１６は、第１滑り止め面１６ａ（図５）を有しており、第１滑り止め面１６ａは、靴底１０を備えた履き物を履いた使用者が歩くときに、凹凸面１１と地面との間に作用する摩擦（「グリップ」としても定義される）を、増加させることができる。好ましくは、滑り止め面１６ａは、複数の滑り止め要素、例えばスタッド１９（可能であればスパイク又は同様のもの）を、備えている。更に、プレート１６は、第１面１６ａの反対側に、滑り止め要素を備えていない第２面１６ｂを、有している（図２）。
【００１４】
好ましくは、プレート１６は、長方形であって、強磁性体材料でできており、一対の成形窓２０を有している。示された実施形態では、スタッド１９は、有利には、第１面１６ａの、対向する長手方向エッジに、配置されている。
【００１５】
プレート１６は、関連する収容部分、例えば凹凸面１１に設けられた溝２２に、収容できる。溝２２は、関連するプレート１６の形状に対して相補的な形状を、画定している。好ましくは、凹凸面１１は、成形窓２０に対して相補的な形状を有する、一対の成形突起２４を、更に有している。窓２０と突起２４との結合は、溝２２中へのプレート１６の収容をより安定にするという利点を、有している。
【００１６】
有利には、プレート１６は、回転軸Ｙ−Ｙに対して横方向に外向きの、第１対抗部分を、有している。更に好ましい方法では、プレート１６は、回転軸Ｙ−Ｙに対して第１対抗部分と対称の、第２対抗部分も、有している。第１及び／又は第２対抗部分は、便宜的には、回転軸Ｙ−Ｙに対して横方向に突出している、第１及び／又は第２突起２１ａ／２１ｂである。図１及び図２を参照すると、有利には、凹部２３は、靴底１０の凹凸面１１中の第２突起２１ａの下に、設けられている。
【００１７】
第１突起２１ａ及び第２突起２１ｂの機能の概要が、本明細書において、以下に記載されている。
【００１８】
一対の湾曲ロッド１８は、揺動軸Ｘ−Ｘに対して、そこから離れるように揺動できるように、凹凸面１１に取り付けられている。図面からわかるように、揺動軸Ｘ−Ｘは、好ましくは、靴底１０に対して横方向に向いているが、靴底１０に対して縦方向に向くように揺動軸を配置できる可能性は、除外されない。
【００１９】
また、湾曲ロッド１８は、この実施形態では溝２２として画定された収容部分に、収容できる。好ましくは、湾曲ロッド１８は、各基端部１８ａにおいて、ヒンジ連結されている。一方、プレート１６は、湾曲ロッド１８の末端部１８ｂに対して回転軸Ｙ−Ｙ回りに回転するように、取り付けられている。好ましくは、回転軸Ｙ−Ｙは、揺動軸Ｘ−Ｘとは異なるものである。更に好ましくは、回転軸Ｙ−Ｙは、揺動軸Ｘ−Ｘに対して、実質的に平行である。有利には、特に図１及び図２を参照すると、プレート１６及び湾曲ロッド１８が、関連した溝２２内に収容されているとき、揺動軸Ｘ−Ｘは、靴底１０の先端部１０ａとプレート１６との間に位置している。
【００２０】
この方法では、プレート１６は、２つの異なる作動状態で、回転軸Ｙ−Ｙ回りに回転する。第１の「非活動」作動状態では、滑り止め面１６ａが、選択的に、凹凸面１１に面している（図２）。第２の「活動」作動状態では、滑り止め面１６ａが、選択的に、地面に面している（図５）。
【００２１】
更に、靴底１０は、滑り止め装置１２によって揺動軸Ｘ−Ｘに対して得られ、且つ、凹凸面１１に対して離れる方向に向いた、揺動に、対抗するように構成された、戻し要素を、好ましくは備えている。言い換えると、戻し要素は、プレート１６と湾曲ロッド１８とを、溝２２内に引き留めるように、機能する。有利には、戻し要素は、凹凸面１１に適用され且つ滑り止め装置１２に対して引付力を作用するのに適した、磁石２６を、備えている。この実施例では、磁石２６は、溝２２の間に配置されている。従って、引付力は、強磁性体でできたプレート１６に作用することを、目的としている。代わりの実施形態（例えば、以下に記載の図７を参照）では、戻し要素は、咬合機構及び／又は支持要素を、初期位置に戻すように動かすのに適した、１つ以上の弾性要素の形態で、作ることができる。第１実施例では、咬合機構は、軸Ｘ−Ｘに対する揺動を制御する、１つ以上の曲げばね１８の形態で、作ることができる。より詳細には、一対の湾曲ロッドは、曲げることによってロードされた、一対のヘリカルばね１８で、作ることができる（図６参照）。
【００２２】
磁石２６によって発揮される磁力による、戻し効果の使用は、支持要素１６の、溝２２からの望ましくない起き上がり動作に対抗し、且つ、いかなる場合でも、足が地面に触れると直ぐに、要素自身を正しい位置に戻す、という有利点を、有している。従来技術においては、そのような望ましくない起き上がり動作は、使用者が身に着けた時の履き物の安全性を脅かし、使用者を、歩くときにつまずくという危険にさらす。
【００２３】
プレート１６が溝２２に収納されているとき、凹凸面１１は、プレート１６の下に且つ磁石２６の上に配置されたトラック２８を備えた、当接部分を、好ましくは備えている。より詳細には、トラック２８は、第１突起２１ａの下に配置されており、第１突起２１ａ及び第２突起２１ｂ（図２）によって特定される直線に対して平行である。
【００２４】
特に図２〜５を参照して、本発明の靴底１０の作動を、以下に記載する。
【００２５】
図２では、靴底１０は、非活動状態で示されており、プレート１６は、外側を向いた第２面１６ｂを有しており、溝２２内に収容されている。活動状態では、図５に代わりに示されているように、同じプレート１６は、外側を向いて且つ溝２２内に収容されている、第１滑り止め面１６ａを、有している。
【００２６】
図３で見られるように、使用者が第２突起２１ｂをつかんで矢印Ａの方向に引っ張ると、プレート１６は、自身の回転軸Ｙ−Ｙ回りに回転し始める。従って、第１突起２１ａは、それが接触しているトラック２８に当接し、それにより、湾曲ロッド１８の、揺動軸Ｘ−Ｘ回りの揺動を、引き起こす。簡潔に言うと、この工程では、プレート１６は、自身の回転軸Ｙ−Ｙ回りに、且つ、揺動軸Ｘ−Ｘ軸に対して、同時に回転するが、一方では、磁石２６がトラック２８への第１突起２１ａの接触を引き留めるよう機能するため、第１突起２１ａは、トラック２８に対して引きずられる。
【００２７】
凹部２３が存在すると、使用者は、第２突起２１ｂを握ることが可能になり、第２突起２１ｂは、滑り止め装置１２が非活動状態の場合に、より容易につかみ部分として機能する。
【００２８】
有利には、（対抗部分として機能する）第１突起２１ａと（当接部分として機能する）トラック２８とが協働することにより、ただ１つの操作によって、使用者は、湾曲ロッド１８を揺動軸Ｘ−Ｘに対して揺動させ、且つ、プレート１６を回転軸Ｙ−Ｙ回りに回転させることができる。
【００２９】
靴底１０の、非活動状態から活動状態への経過における更なる工程が、図４に示されている。この工程では、突起２１ａ、２１ｂは、凹凸面１１に対して実質的に直角の位置にある。第２突起２１ｂの回転軸Ｙ−Ｙ回りの更なる回転動作は、磁石２６の引付力によってアシストされる方法で、活動状態のプレート１６の完全な回転と同時に起こり、第１面１６ａは、外側を向く（図５）。使用者が、プレート１６及びロッド１８の同時作動を一旦終了させると、磁石２６は、プレート１６を、溝２２の中に、非活動状態で引き留める。従って、結果として、磁石２６の使用は、使用者が滑り止め装置１２を靴底１０の凹凸面１１へ更に手動で連結（スナップ連結又は他のリリース連結機構を介した連結）させることを、必要としない、という利点を有している。
【００３０】
プレート１６を非活動状態に戻すために、使用者は、（図２に示された第２突起２１ｂの場所に位置している）第１突起２１ａをつかみ、第２突起２１ｂについて前述した同様の操作を、実行する。その場合、第１突起２１ａは、つかみ部分として機能する。
【００３１】
図７に示された実施形態では、滑り止め装置の揺動に対抗する戻し要素は、ばね２６を備え又はばね２６からなっている。ばね２６は、図７の実施例ではヘリカルばねであり、プレート１６を靴底の方向へ永久的に付勢する力、又は、プレート１６を靴底に対して押し続ける力を、それに行使するために、咬合機構１８と協働している。ばね２６は、必要に応じて、上記記載の磁石の代わりに、又は、上記磁石と組み合わせて、使用できる。本発明の更なる変形例（図示せず）では、弾性戻し要素は、横部分で構成されており、当該横部分は、凹凸面内に組み込まれており、２つの側ロッド１８に連結し且つ軸ねじりばねとして作動する。
【００３２】
本発明の更なる態様では、履き物用の靴底１０は、また、以下に概説されるような異なる技術的特徴を有してもよい。
【００３３】
履き物用靴底１０は、上記靴底１０の凹凸面１１上に、地面の方に作動可能に面するように設けられた、少なくとも１つの反転可能な滑り止め装置１２、１４を、備えており、上記滑り止め装置１２、１４は、咬合機構１８と、少なくとも１つの支持要素１６と、を備えており、咬合機構１８は、凹凸面１１に取り付けられており、且つ、揺動軸Ｘ−Ｘに対して上記凹凸面１１から離れるように揺動可能であり、支持要素１６は、滑り止め面１６ａを有しており、靴底１０の前方部分における上記凹凸面１１に設けられた関連する溝２２中に収容可能であり、回転軸Ｙ−Ｙ回りに回転するように咬合機構１８に対して取り付けられており、且つ、滑り止め面１６ａを地面又は凹凸面１１の方向に選択的に向けるようになっている。
【００３４】
本発明の更なる態様に関する際立った特徴は、上記滑り止め装置が溝２２内に配置されたときに、揺動軸Ｘ−Ｘが、支持要素１６と上記靴底の先端部１０ａとの間に置かれていることである。
【００３５】
本発明のこの更なる態様における靴底のそのような際立だった特徴によって、咬合機構１８の離れて行く開き動作は、そのような靴底を備えた靴を履いている使用者の、歩く方向と一致する方向へ、起こる。従って、装置が偶発的に開いた場合、使用者の足が地面に再度接触しようとすると直ぐに、咬合機構１８は、収容溝２２の方へ戻るよう機能する。逆に、従来の靴底は、使用者の歩く方向とは「反対の」方向へ離れて行く開き動作によって、作動している。従って、偶発的に開いた場合、従来の靴底の支持要素１６は、地面に当接して、バランスを失わせたり、使用者を実質的につまずかせたりする。
【００３６】
本発明の原理に対して不利益となることなく、実施形態及び詳細は、目的を実証し且つ目的を限定しないために厳密に記載され且つ図示されたものに対して、添付の特許請求の範囲に定義された本発明の範囲から逸脱することなく、当然ながら、実質的にも、変形できる。
【図１】
2010094511.tif 000003
【図２】
2010094511.tif 000004
【図３】
2010094511.tif 000005
【図４】
2010094511.tif 000006
【図５】
2010094511.tif 000007
【図６】
2010094511.tif 000008
【図７】
2010094511.tif 000009
【外国語明細書】
2010094511.tif 000010
2010094511.tif 000011
2010094511.tif 000012
2010094511.tif 000013
2010094511.tif 000014
2010094511.tif 000015
2010094511.tif 000016
2010094511.tif 000017
2010094511.tif 000018
2010094511.tif 000019
2010094511.tif 000020
2010094511.tif 000021
2010094511.tif 000022
2010094511.tif 000023
2010094511.tif 000024
2010094511.tif 000025
2010094511.tif 000026
2010094511.tif 000027